(57)【要約】長手方向に沿って動かされる糸の特徴表示のため、糸長手方向に沿う糸の特性が検出される。糸のパラメータの値が測定値から求められる。事象領域（３）が与えられ、糸の横軸（３１）が長手方向におけるパラメータ値の範囲（Ｌ）を示し、その縦軸（３２）がこのパラメータの目標値からの偏差（ΔＭ）を示す。パラメータの値及び長手方向におけるその範囲（Ｌ）から、事象領域（３）における事象の密度が求められる。事象領域（３）において供試品本体が、一方では横軸（３１）により区画されまた他方では縦軸（３２）により区画され更に一定の事象密度に従う線（４１）により区画される面（４）として計算される。面（４）が数値的に詳述される。数値的詳述の少なくとも１つの値が糸の特徴として出力される。【選択図】図４
2014514225.tif 000002
【特許請求の範囲】
【請求項１】
長手方向に沿って動かされる縦長の供試品（９）の特徴表示方法であって、
繊維供試品（９）の特性の測定値が繊維供試品の長手方向に沿って検出され、
繊維供試品のパラメータの値が測定値から求められ、
二次元直角座標系の１つの象限又は１つの象限の一部を含む事象領域（３）が与えられ、
この二次元直角座標系の横軸（３１）が長手方向におけるパラメータ値の範囲（Ｌ）を示し、その縦軸（３２）がこのパラメータの目標値からの偏差（ΔＭ）を示し、
パラメータの値及び長手方向におけるその範囲（Ｌ）から、事象領域（３）における事象の密度が求められ、
事象領域（３）において供試品本体が、一方では横軸（３１）又はそれに対して平行に延びる直線により区画されまた他方では縦軸（３２）又はこれに対して平行に延びる直線により区画され更に一定の事象密度に従う事象領域（３）にある線（４１）により区画される面（４）として計算されるものにおいて、
面（４）が数値的に詳述され、数値的詳述の少なくとも１つの値（ａ〜ｃ）が繊維供試品（９）の特徴として出力される
ことを特徴とする方法。
【請求項２】
数値的詳述が面（４）の面積を考慮する、請求項１に記載の方法。
【請求項３】
数値的詳述が面（４）の幾何学的形状を考慮する、請求項１又は２に記載の方法。
【請求項４】
数値的詳述が面（４）の面重心及び／又は輪郭重心の位置を考慮する、請求項３に記載の方法。
【請求項５】
数値的詳述が線（４１）の推移を考慮する、請求項１〜４の１つに記載の方法。
【請求項６】
数値的詳述が支点（Ｐ１〜Ｐ４）により行われる、請求項５に記載の方法。
【請求項７】
数値的詳述が補整計算により行われる、請求項５に記載の方法。
【請求項８】
詳述のために、少なくとも１つの極値点（ＰＭ）、少なくとも１つの変曲点、線重心及び／又は少なくとも１つの曲線勾配が計算される、請求項５〜７の１つに記載の方法。
【請求項９】
数値的詳述のために、なるべく信頼区間（５．１〜５．４）又は信頼面（７，７′）の形の信頼範囲が出力される、請求項１〜８の１つに記載の方法。
【請求項１０】
一定の事象密度が、１００ｋｍの供試品長さ当たり１００〜３０００事象、なるべく１００ｋｍの供試品長さ当たり１０００事象である、請求項１〜９の１つに記載の方法。
【請求項１１】
パラメータが繊維供試品（９）の単位長さ当たりの質量又は直径に相当する、請求項１〜１０の１つに記載の方法。
【請求項１２】
事象領域（３）において、なるべく事象領域（３）の異なる象限にある複数例えば２つの異なる面（４，４′）が数値的に詳述される、請求項１〜１１の１つに記載の方法。
【請求項１３】
複数の面（４，４′）がただ１つの面にまとめられ、このまとめから生じるただ１つの面が数値的に詳述される、請求項１２に記載の方法。
【請求項１４】
数値的詳述の少なくとも１つの値（ａ〜ｃ）が供試品（９）用の品質基準機構に記録される、請求項１〜１３の１つに記載の方法。
【請求項１５】
同じ形式の供試品（９）の試料の世界的な製造を代表する集合が集められ、請求項１〜３の１つにより特徴づけられる、請求項１４に記載の方法。
【請求項１６】
品質基準機構において数値的詳述の少なくとも１つの値のために、供試品（９）の世界的な製造に関して、百分順位がなるべくノモグラムの形で表示される、請求項１５に記載の方法。
【請求項１７】
縦長の繊維供試品（９）用の品質データを含む品質基準機構であって、品質基準機構が、請求項１〜１３の１つに従って得られた繊維供試品（９）の特徴表示を含んでいることを特徴とする、品質基準機構。
【請求項１８】
数値的詳述の少なくとも１つの値のために、繊維供試品（９）の世界的な製造に関して、百分順位がなるべくノモグラムの形で表示されている、請求項１７に記載の品質基準機構。
【請求項１９】
長手方向に沿って動かされる縦長の繊維供試品（９）の特徴表示装置（１）であって、
繊維供試品（９）の長手方向に沿う繊維供試品（９）の特性の測定値を検出しかつ測定値から繊維供試品のパラメータの値を求める測定ヘッド（１１）に接続される制御装置（１４）を含み、
制御装置（１４）が、二次元直角座標系の１つの象限又は１つの象限の一部を含む事象領域（３）を記憶及び出力する記憶装置及び出力装置（１５）を持ち、
直角座標系の横軸（３１）が長手方向におけるパラメータ値の範囲（Ｌ）を示し、その縦軸（３２）がパラメータの目標値からの偏差（ΔＭ）を示し、
計算装置が設けられて、パラメータの値及び長手方向におけるその範囲（Ｌ）から、事象領域（３）における事象の密度を求め、かつ供試品本体を事象領域（３）にある面（４）として計算し、
この面（４）が、一方では横軸（３１）又はそれに対して平行に延びる直線により、他方では縦軸（３２）又はそれに対して平行に延びる直線により、更に一定の事象密度に従う事象領域（３）にある線（４１）により区画されているものにおいて、
制御装置（１４）が、面（４）を数値的に詳述し、数値的詳述の少なくとも１つの値（ａ〜ｃ）を、繊維供試品（９）の特徴として出力する
ことを特徴とする装置。
【請求項２０】
制御装置（１４）が繊維処理機械（２）例えば紡糸機又は巻取り機に組込まれている、請求項１９に記載の装置。
【発明の詳細な説明】
【技術分野】
【０００１】  本発明は繊維の品質監視の分野にある。本発明は、独立請求項の上位概念に記載の、縦長の繊維供試品を特徴表示する方法及び装置に関する。このような方法及び装置は、典型的に紡糸機又は巻取り機において使用される。縦長の繊維供試品はなるべく糸であるが、スライバ又はロービング等であってもよい。【０００２】  本発明は、縦長の繊維供試品用の品質データを含む品質基準機構にも関する。
【背景技術】
【０００３】  糸品質を保証するため、紡糸機又は巻取り機に、いわゆるヤーンクリヤラが取付けられている。このような装置は例えば欧州特許出願公開第０４３９７６７号明細書から公知である。この装置は、動かされる糸を走査する少なくとも１つのセンサを持つ測定ヘッドを含んでいる。しばしば使用されるセンサ原理は容量原理（例えば欧州特許出願公開第０９２４５１３号明細書）又は光原理（例えば国際公開第２００４／０４４５７９号）である。操作の目的は、糸の太い個所、細い個所又は異物のような欠陥個所を検出することである。センサの出力信号は所定の評価基準により連続的に評価される。通常評価基準は事象の長さと事象の振幅例えば糸質量の目標値からの偏差とにより形成される二次元事象領域における欠点除去限界又は欠点除去曲線の形で規定される。欠点除去限界より下の事象は許容され、欠点除去限界より上の事象は除去されるか又は少なくとも欠点として記録される。【０００４】  １０年以上前から、出願人のシステムＵＳＴＥＲ  ＣＬＡＳＳＩＭＡＴにより糸欠点を分類するのが通常である。このシステムは例えば米国特許出願公開第５５３７８１１号明細書及びＵｓｔｅｒ  Ｔｅｃｈｎｏｌｏｇｉｅ社の２００７年８月発行のパンフレット“Ｕｓｔｅｒ  ＣＬＡＳＳＩＭＡＴ  ＱＵＡＮＴＵＭ”に記載されている。それによれば、上述した事象領域は不連続な数例えば２３の方形クラスに区分され、それにより分数領域が生じる。その場合各糸欠点に、その長さ及び振幅に従って１つのクラスを割当てることができる。各クラスにおいて検出される糸欠点が数えられ、例えば１００ｋｍの標準糸長さに換算される。各クラスにおいてこうして得られる数値の全体の糸を特徴づけ、欠点除去限界を規定するために使用される。この分類は、一方では比較的多くの初期値例えば２３個の数値を与え、他方ではそれにもかかわらず全く粗い。なぜならば、個々のクラス内で、事象がもはやそれ以上区別されないからである。【０００５】  国際公開第２０１０／０７８６６５号は、長手方向に動かされる繊維供試品を特徴づける方法及び装置を記載している。そこでは供試品の特性の測定値が、その長手方向に沿って検出される。測定値から供試品パラメータの値が求められる。供試品パラメータの値及び長手方向におけるその範囲から、事象領域における事象の密度が求められる。事象領域において、供試品本体が面としてグラフ表示される。面は、横軸及び縦軸により、更に実質的に一定の事象密度に従う事象領域内の線により区画される。供試品本体の表示は、操作員が供試品の特性を速やかに検出しかつ欠点除去限界を合理的に規定するのを可能にする。
【発明の概要】
【発明が解決しようとする課題】
【０００６】  本発明の課題は、国際公開第２０１０／０７８６６５号による方法及び装置を更に発展させて、繊維供試品の特徴表示が一層よくかつ客観的になるようにすることである。
【課題を解決するための手段】
【０００７】  この課題及び他の課題は、独立請求項に規定されているような本発明による方法及び本発明による装置によって解決される。【０００８】  本発明は、国際公開第２０１０／０７８６６５号において導入された供試品本体の構想を使用している。即ら供試品本体は、二次元事象領域において密度曲線により区画される面として示すことができる。本発明の基本思想は、このグラフ構造を適当なやり方で数値的に理解可能にすることである。これは、例えば支点の助けにより、曲線適合により又は別のやり方で行うことができる。【０００９】  従って本発明により長手方向に沿って動かされる縦長の供試品の特徴表示方法において、繊維供試品の特性の測定値が繊維供試品の長手方向に沿って検出される。繊維供試品のパラメータの値が測定値から求められる。二次元直角座標系の１つの象限又は１つの象限の一部を含む事象領域が与えられる。この二次元直角座標系の横軸が長手方向におけるパラメータ値の範囲を示し、その縦軸がこのパラメータの目標値からの偏差を示す。パラメータの値及び長手方向におけるその範囲から、事象領域における事象の密度が求められる。事象領域において供試品本体が、一方では横軸又はそれに対して平行に延びる直線により区画されまた他方では縦軸又はこれに対して平行に延びる直線により区画され更に一定の事象密度に従う事象領域にある線により区画される面として計算される。面が数値的に詳述される。数値的詳述の少なくとも１つの値が繊維供試品の特徴として出力される。【００１０】  この明細書において面という概念は、二次元直角座標系により形成される面の部分集合を意味する。このように定義される面は、面の大きさの尺度従って面の特性である単位面積とは区別すべきである。供試品本体を表す面はなるべく関連している。“関連している”という概念は、ここでは全く数学的トポロジーの意味で理解することができる。その際実際に、一般的な関連又は特別な行程関連が定義のために使用されるか否かは重要でない。しかし面は簡単に関連している必要はなく、全面を包囲される切欠きを持っていてもよい。【００１１】  数値的詳述は、例えば面の次の特性を考慮することができる。
面の面積、
面の幾何学的形状例えば面重心又は面の輪郭重心及び／又は
面を更に区画する線の推移。その際数値的詳述は支点により行うことができる。支点に基く特定の詳述システムは、使用される支点の数及び横軸上におけるその位置の規定によって定義される。【００１２】  前記の線が考慮されると、数値的詳述が補整計算により行われる。補整計算の適当な数学的方法は公知である。線上にあるデータ点が選ばれ、最小二乗法を考慮して関数適合により近似される。適合に基く特定の詳述システムは、適合関数の規定により規定される。多くの異なる適合関数が問題になり、それらの共通な特徴は大きい横軸値における減衰であろう。その結果生じる関数パラメータ値は、検査される供試品の特徴づけのために使用される。【００１３】  線であるか又は適合曲線であるかに関係なく線による詳述のために、少なくとも１つの極値点、少なくとも１つの変曲点、線重心及び／又は少なくとも１つの曲線勾配が計算される。例えば数学的曲線討議から公知のような別の数値も表示可能である。【００１４】  数値的詳述のために、なるべく信頼区間又は信頼面の形の信頼範囲が出力されると、有利である。【００１５】  前記の線に相当する一定の事象密度が次の判定基準を満たすようにする。
すべての事象密度又はもっと低い事象密度で起こる供試品からのすべての事象除去が生産性を強く妨げるほど、一定の事象密度が高い。
同時に供試品から除去するのが有意義と思われ例えば１０〜１００倍高い欠陥密度の十分近くにあるほど、一定の事象密度が低い。【００１６】  事象密度は対数的に二重に区分される軸を持つ直角座標に関係づけられるのがよい。米国特許第６３７４１５２号明細書は事象密度を詳細に取扱っている。特に糸に適した限界事象密度は、１００ｋｍの供試品長さ当たり１００〜３００事象であり、１００ｋｍの供試品長さ当たり１０００事象であるのがよい。【００１７】  パラメータは繊維供試品の単位長さ当たりの質量又は直径に相当する。しかしパラメータは、その代わりに繊維供試品の反射率又は吸収率、供試品中の異物又は繊維供試品の他の特性に関係していてもよい。【００１８】  事象領域において、なるべく事象領域の異なる象限にある複数例えば２つの異なる面が数値的に詳述されることができる。複数の面を個々に数値的に詳述することができる。その代わりに複数の面がただ１つの面にまとめられ、このまとめから生じるただ１つの面が数値的に詳述されるようにすることができる。【００１９】  本願の出願人のＵＳＴＥＲ  ＳＴＡＴＩＳＴＩＣＳのように、数値的詳述の少なくとも１つの値が供試品用の品質基準機構に記録されるようにすることができる。この目的のため同じ形式の供試品の試料の世界的な製造を代表する集合が集められ、本発明により特徴づけられる。品質基準機構において数値的詳述の少なくとも１つの値のために、供試品の世界的な製造に関して、例えば百分順位がなるべくノモグラムの形で表示される。本発明による縦長の繊維供試品用の品質データを含む品質基準機構は、本発明による方法に従って得られた繊維供試品の特徴づけを含んでいる。それにより本発明は、別の場所及び／又は別の時間に製造される同じ種類の供試品の代表的な集合に関して、繊維供試品の品質を一層完全に等級分けすることを可能にする。【００２０】  本発明による装置は、長手方向に沿って動かされる縦長の繊維供試品の特徴表示に用いられる。この装置は、繊維供試品の長手方向に沿う繊維供試品の特性の測定値を検出しかつ測定値から繊維供試品のパラメータの値を求める測定ヘッドを含んでいる。更に装置は、測定ヘッドに接続される制御装置を含んでいる。制御装置が、二次元直角座標系の１つの象限又は１つの象限の一部を含む事象領域を記憶及び出力する記憶装置及び出力装置を持ち、直角座標系の横軸が長手方向におけるパラメータ値の範囲を示し、その縦軸がパラメータの目標値からの偏差を示す。更に制御装置が計算装置を持ち、この計算装置が、パラメータの値及び長手方向におけるその範囲から、事象領域における事象の密度を求める。供試品本体を事象領域にある面として計算し、この面が、一方では横軸又はそれに対して平行に延びる直線により、他方では縦軸又はそれに対して平行に延びる直線により、更に一定の事象密度に従う事象領域にある線により区画されている。制御装置が、面を数値的に詳述し、数値的詳述の少なくとも１つの値を、繊維供試品の特徴として出力する。【００２１】  本発明による装置は、繊維処理機械例えば糸用紡糸機又は巻取り機に使用できる。このような繊維処理機械は多数の作動個所を持っている。従って本発明による装置は、���作動個所にある多数の測定ヘッドを含むことができる。すべての測定ヘッドは、例えばＲＳ−４８５のような直列バスを介して中央制御装置に接続されている。それぞれの測定ヘッドと制御装置との間に、インタフェース変換器を組込むことができる。制御装置はなるべく繊維処理機械に組込まれている。【００２２】  従来技術から公知の刊行物国際公開第２０１０／０７８６６５号は、供試品本体のグラフ表示により、供試品特性の直観的検出を可能にしているが、本発明は供試品を正確に数値で特徴表示する。しかし本発明は、同様に従来技術から公知のシステムＵＳＴＥＲ  ＣＬＡＳＳＩＭＡＴとは全く異なる簡単なやり方でこれを行う。そのシステムは、２３又はそれ以上のクラスにある数値を特徴づけのために必要とする。これに反し本発明は、非常に僅か例えば２〜６個のパラメータですみ、従って特徴表示のために必要なデータ量を減少する。更に本発明による特徴表示は、事情によってはＵＳＴＥＲ  ＣＬＡＳＳＩＭＡＴの特徴表示より一層正確である。なぜならば、本発明による特徴表示は、連続する値集合からの値を供給し、離散クラスに関する数値を供給するのではないからである。【００２３】  本発明が糸用巻取り機の例について、図面により以下に詳細に説明される。この例は一般性を制限するものではない。なぜならば、本発明は、スライバ又はロービングのような他の縦長の繊維供試品によく使用されるからである。
【図面の簡単な説明】
【００２４】
【図１】  ヤーンクリヤラシステムを持つ巻取り機を概略的に示す。
【図２】  １つ又は２つの糸本体及び本発明の方法による数値的詳述を持つ事象領域を示す。
【図３】  １つ又は２つの糸本体及び本発明の方法による数値的詳述を持つ事象領域を示す。
【図４】  １つ又は２つの糸本体及び本発明の方法による数値的詳述を持つ事象領域を示す。
【図５】  １つ又は２つの糸本体及び本発明の方法による数値的詳述を持つ事象領域を示す。
【図６】  １つ又は２つの糸本体及び本発明の方法による数値的詳述を持つ事象領域を示す。
【図７】  １つ又は２つの糸本体及び本発明の方法による数値的詳述を持つ事象領域を示す。
【図８】  世界的な糸製造に関して本発明により特徴表示される糸を品質等級分けするための百分順位を持つノモグラムを示す。
【発明を実施するための形態】
【００２５】  図１には、複数の巻取り個所２１．１，２１．２，・・・２１，ｎを持つ巻取り機２が非常に概略的に示されている。本発明による装置１は、巻取り機２へ組込まれている。巻取り個所２１．１において、巻戻し過程中に糸９が、本発明による装置１の測定ヘッド１１により監視される。測定ヘッド１１はセンサ例えば糸９の誘電特性を測定する容量センサを含み、このセンサにより糸９の特性が測定される。更に測定ヘッド１１は、測定値から糸パラメータ例えば単位長さ当たりの糸質量を求める評価装置を含んでいる。測定ヘッド１１は、インタフェース変換器１２を介して、本発明による装置１の中央制御装置１４に接続されている。接続部を介して測定ヘッド１１が制御装置１４により設定されかつ制御され、測定ヘッド１１が、求められた糸パラメータのようなデータを制御装置１４へ伝送する。すべてのインタフェース変換器１２と制御装置１４との間の接続導線１３は、例えばＲＳ−４８５のような直列バスとして構成することができる。インタフェース変換器１２は、更にそれぞれの巻取り個所２１．１の巻取り個所計算機２２にも接続可能である。制御装置１４は操作員用の出力装置及び入力装置を持っている。出力装置及び入力装置は、センサ受像面（タッチスクリーン）１５として構成されているのがよい。制御装置１４は巻取り機２の制御計算機２３に接続されている。出力装置及び／又は入力装置は、制御装置１４へ組込む代わりに、巻取り機２例えば制御計算機２３へ組込むことができる。
【００２６】  制御装置１４は、データ導線１６を介して計算機ステーション１７に接続されている。計算機ステーション１７は独立しており、入力装置及び出力装置を持つ作業場所計算機（ＰＣ）として構成されているのがよい。それは本発明にとって必ずしも必要でないが、本発明による評価及び出力の少なくとも一部を行いかつ／又は結果を記憶するために有利である。それは、なるべくデータ回路網及び／又は移動データ媒体を介して、他の計算機ステーションとデータ特に糸９の数値的詳述を交換することができる。その代わりに、計算機ステーション１７の上述した役割を制御装置１４が引受けることができる。
【００２７】  図２は、制御装置１４又は計算機ステーション１７におい計算して出力装置１５に表示できるような糸本体を持つ可能な事象領域３を示す。事象領域３は、横軸３１及び縦軸３２により形成される二次元直角座標系の１つの象限である。座標３２は糸パラメータ目標値からの偏差ΔＭ、例えば単位長さ当たりの糸質量の目標値からの偏差を百分率で示す。目標値は、多数の測定についての連続平均値形成によって求めるのがよい。横軸３１は、糸の長手方向に沿ってどんな長さＬにわたってそれぞれの偏差ΔＭが広がっているかを示す。両方の軸３１，３２の度盛りはなるべく対数である。求められる偏差ΔＭ及びその長さＬは、共に事象領域３における点を規定しかつそこで適当に表示できる糸事象の座標を形成する。
【００２８】  校正過程において、十分な長さの糸区間が測定される。少なくとも約１ｋｍの校正長が“十分”とみなされる。しかし例えば１０ｋｍ又は１００ｋｍの長さの一層大きい校正長が好ましい。なぜならば、それが統計的に一層説得的な結果を与えるからである。糸パラメータの値及びそれに属する長さＬは、測定ヘッド１１から制御装置１４へ伝送される。計算装置において、それから事象の密度が、例えば米国特許第６３７４１５２号明細書に記載されているように、事象領域３において求められる。事象密度は、図２〜７に示されているように、２倍対数で区分される軸を持つ直角座標になるべく関係している。こうして事象領域３の各点に、事象密度を一義的に対応させることができる。補間、補外、平滑化及び／又は他の数値的方法により、多分測定誤差又はその他の人為的作為に基因する事象密度の急すぎる局部変化を回避することができる。
【００２９】  事象密度関数から糸本体が計算され、面４として事象領域３に表示される。この目的のため、１００ｋｍの糸長さ当たり例えば１０００事象の十分高い事象密度が選ばれる。限界事象密度が関係している事象領域３のすべての点の結合は、残りの事象領域３から糸本体を区切る密度曲線４１を生じる。両方の座標軸３１，３２の方へ、糸本体が座標軸３１，３２により区画される。大きい長さの方へ、例えばＬ＝１２８ｃｍで縦軸３２に対して平行に延びる別の線４２によって、糸本体を更に区画することができる。糸本体を示す面４は、それが例えば残りの事象領域３とは別の色、別の灰色調及び／又は別の模様を持つことによって、残りの事象領域３から図表的に区別される。糸本体のこのような計算及び表示は、国際公開第２０１０／０７８６６５号に詳細に説明されている。それらは、検査される糸９の特徴を速やかにかつ直観的に把握するのを可能にする。
【００３０】  更に本発明は、検査される糸９の特徴を検査する。この目的のため、面４が数値的に詳述される。図２の実施例において、数値的詳述は面４の重心Ｐｓにより行われる。平らな面４の重心Ｐｓの座標ｐｓは、公知のように次の式により計算される。
2014514225.tif 000003
ここで全面４にわたって積分が行われ
2014514225.tif 000004
は面４の面内容である。図２の例において、面重心Ｐｓは座標ｐｓ＝（１．１ｃｍ，２９％）を持っている。更に両方の座標値に対して、慣用の統計方法の１つにより求められるそれぞれ１つの信頼区間、例えばδ（Ｌ）＝±０．３ｃｍ及びδ（ΔＭ）＝±５％を示すことができる。図２には、面重心Ｐｓの周りの楕円信頼面７が記入され、それぞれの軸へのその投影が上記の信頼区間に相当する。従って図２の面４の数値的詳述は、ｐｓ＝（（１．１±０．３）ｃｍ，（２９±５）％）である。
【００３１】  面重心Ｐｓの代わり又はこれに加えて、面４をその輪郭重心の位置により数値的に詳述することができる。輪郭重心は、式（１）及び（２）と同じように、積分により規定することができ、その際面４にわたる代わりに、面４を区画する輪郭線にわたって積分が行われる。
【００３２】  その代わりに又はそれに加えて、面４を式（２）によるその面内容によって詳述することができ、その際面内容Ａに対しても信頼区間を示すことができる。
【００３３】  図３には、第１象限に加えて、事象領域３の第２象限が記入され、その横軸３１は第１象限の横軸と一致しているが、その縦軸３２′は偏差ΔＭの負の値の方へ延びている。従って第１象限にある事象は糸９の太い個所であり、第２象限にある事象は細い個所である。両象限の各々において、それぞれの糸本体を示す面４，４′を計算することができる。第２象限にある第２の面４′は、第１象限にある第１の面４と同じように、例えば面重心、輪郭重心又は面内容により数値的に詳述することができる。その代わりに、両方の面４，４′をただ１つの面にまとめることができ、このまとめから生じるただ１つの面が数値的に詳述される。まとめられる面の面重心Ｐｓが、信頼面７と共に、図３に記入されている。この例では、ｐｓ＝（１．１ｃｍ，１９％）である。いずれにせよ両方の面４，４′は、検査される糸９を、太い個所だけのための第１の面４より一層完全に特徴表示する。
【００３４】  図４の実施例では、面４が密度曲線４１により詳述され、更に支点Ｐ１〜Ｐ４により数値的に詳述されている。特定の支点に基く詳述システムは、使用される支点の数及び横軸３１上のその位置の規定によって規定される。図４の例は、長さＬ１＝０．１２５ｃｍ，Ｌ２＝１ｃｍ，Ｌ３＝４ｃｍ，Ｌ４＝１２８ｃｍにおける４つの支点Ｐ１〜Ｐ４を持っている。これらの支点Ｐ１〜Ｐ４のｙ値は、この例ではΔＭ１＝１００％，ΔＭ２＝８０％，ΔＭ３＝４５％，ΔＭ４＝８％である。これらの値は密度曲線４１上にあり、従って実質的に同じ限界事象密度を持っている。各支点Ｐ１〜Ｐ４に対して付加的に、適当なΔＭ値用の信頼区間δ（ΔＭ）を与えると有利である。信頼区間δ（ΔＭ）は、慣用の統計方法により求めることができ、図４に誤差棒５．１〜５．４の形で示されている。図４の糸本体又は面４は、次の８つの量で詳述される。
2014514225.tif 000005
【００３５】  もちろん４つより多いか又は少ない支点を使用することができる。支点の位置は、できるだけ少ない支点が糸９をできるだけよく特徴表示するように選ばれている。横軸３１上の特定の範囲は興味がなくてもよい。なぜならば、これらの範囲においては僅かな糸欠陥しか生じないか、又は糸欠陥があまり有害に感じられないからである。このことが当てはまるか否か又はどんな範囲に当てはまるかは、それぞれの糸形式、糸の意図される使用及びそれ以外の要因に関係している。いずれにせよ当業者は、本発明を知れば、与えられた状況においてできるだけ僅かで、できるだけ特有の支点を提示することができる。当業者が支点に基く特定の詳述システムに同意し、かつかれを使用して、糸の品質データを互いに交換することも可能である。このように規定される支点に属するΔＭ値は、品質基準機構に記録し、ノモグラムにおいて図８のように表示することもできるであろう。
【００３６】  密度曲線４１による面４の別の数値的詳述が図５に示されている。ここで密度曲線４１は適合曲線６により適合される。この適合は公知の調整計算によって行うことができる。密度曲線４１上に再び特有のデータ点Ｐ１′〜Ｐ４′が最小二乗法を考慮して関数適合に近づけられるのがよい。適合に基く特定の詳述システムは、適合関数の設定によって規定される。次に例えば２つの適合関数が与えられるが、これらの適合関数に共通なことは、それらが３つのパラメータを持ち、大きいＬ値に対して減衰することである。
【００３７】  適当な適合関数の第１の例は関数
ｙ＝ａ（ｘ＋ｂ）ｅ−ｃｘ                      （３）
であり、ここでｘ＝ｌｄ（Ｌ）（２を底とするＬの対数）、ｙ＝ｌｄ（｜ΔＭ｜）、またａ，ｂ及びｃは見出すべき関数パラメータである。図３の糸本体は例えば次のパラメータ値で詳述することができる。
ａ＝０．８２
ｂ＝７．６
ｃ＝０．２０
【００３８】  関係する適合関数（３）のすべての関数パラメータａ，ｂ，ｃが、糸９の特徴づけのために同じ重要度を持っていないこともあり得る。実際に説得力の少ないことがわかった関数パラメータは出力する必要がなく、それにより糸９の特徴表示のために使用されるパラメータ値の数が有利なように減少される。例えば４つの関数パラメータを持つ適合関数を使用できるであろうが、そのうち２つの関数パラメータは糸品質に殆ど相関関係がないので、２つの関数パラメータだけで、上記の適合関数（３）の３つの関数パラメータａ，ｂ，ｃより一層よく、糸９の特徴表示を行う。
【００３９】  適合関数の第２の例は鐘状曲線
ｙ＝ｆ・ｅ−ｇ（ｘ−ｈ）２
であり、ここでｘ＝ｌｄ（Ｌ）、ｙ＝ｌｄ（｜ΔＭ｜）、またｆ，ｇ，ｈは見出すべき関数パラメータである。パラメータ値の例として次のものを示すことができる。
ｆ＝  ６．７
ｇ＝  ０．０１０
ｈ＝−２．５
【００４０】  適合に基く詳述の際にも、信頼範囲を示すのが有利である。このような信頼範囲が、図６にハッチングを施した面７として示されている。信頼範囲７は、例えば中に適合曲線６がある帯であってもよい。信頼帯７の幅は、特定の確率例えば９５％を持つ“真の”密度曲線が信頼帯７内にあるように選ぶことができる。信頼帯７は、再び数値で詳述することができ、例えば結果として生じる関数パラメータに対する信頼区間の表示により、その上限線及び下限線に対する関数ΔＭ（Ｌ）の表示により、又は適合曲線６の両限界線の間隔の表示により詳述することができる。
【００４１】  図３と同じように図６にも、事象領域３の第１の象限に加えて第２象限が記入され、この象限へも細い個所用の適合曲線６′とそれに属する信頼帯７′が記入されている。支点に基く詳述システム（図４参照）が使用されると、両方の象限に同じ又は異なる支点を使用することができる。適合に基く詳述システム（図５参照）では、両方の象限に対して同じ適合関数又は異なる適合関数を使用することができる。上記の関数（３）を使用して、図６の糸本体が例えば次の６つ（又は信頼区間も示される場合１２）の量で詳述される。
2014514225.tif 000006
【００４２】  図７は密度曲線４１による面４の数値的詳述の別の可能性を示す。ここでは、既に図５におけるように密度曲線４１が適合曲線６に合わされたことから出発する。適合関数（３）の関数パラメータａ〜ｃの代わりに又はこれらのパラメータに加えて、ここでは適合曲線６の別の数値が計算され、糸（９）の特性として出力される。このような数値は、数学的曲線論識において考慮されるように、関数値及び／又は導関数の値であってもよい。例は、例えば次の通りである。
極端点。適合曲線６は座標ｐＭ＝（０．１８ｃｍ，１１９％）を持つＰＭに最大値を持つ。
変曲点。適合曲線６は座標ｐＷ＝（５．３ｃｍ，３４％）を持つＰＷに最大値を持つ。
適合曲線６の−部分例えばＬ＝０．１２５ｃｍとＬ＝１２８ｃｍとの間の部分の線重心。
適合曲線６の勾配。勾配は固定長さＬ、固定高さΔＭ及び／又は変曲点Ｐｗのような可変点において計算することができる。図７には、実例として変曲点Ｐｗに負の勾配を持つ接線６１が記入されている。適合曲線６が特定の値を上回るか又は下回る点。
例えばΔＭ＝５０％の固定高さのためのＬ値。その代わりに又はそれに加えて、固定又は可変の別のΔＭのためのＬ値を計算することができる。後者の場合の例は、最大高さの半分におけるＬ値である。
例えばＬ＝８ｃｍの固定長さに対するΔＭ値。図７において実例として値ΔＭ８＝２７％。その代わりに又はそれに加えて、他の長さに対して固定又は可変のΔＭ値を計算することができる。後者の場合の例は、変曲点長さの半分にΔＭ値である。
【００４３】  糸本体の数値的詳述の種々の可能性を互いに組合わせて、同時に使用することができる。例えば横軸３１を３つの範囲に分割することができる。第１の範囲では密度曲線４１のため第１の適合関数を使用し、第２の範囲では支点を使用し、第３の範囲ではだい１の適合関数とは異なる第２の適合関数を使用することができる。密度曲線４１による詳述の上述した可能性は、適合曲線６による詳述の際にも使用できるか、又はその逆にもできる。
【００４４】  太い個所及び細い個所と同じように、必要な場合糸で測定される別の量例えば異物信号を考慮することができる。
【００４５】  糸本体の数値的詳述は、ＵＳＴＥＲ  ＳＴＡＴＩＳＴＩＣＳのような糸品質参照機構へ受入れることができる。この目的のためまず世界的な糸製造を代表する量の糸試料が同じ形式の糸から集められ、本発明により特徴素示される。特徴素示の数値結果は、例えば図８に示されているようにノモグラムに保持される。この実施例は、３つの関数パラメータａ，ｂ，ｃを持つ上記の適合関数（ｅ）に関する。図８の（ａ），（ｂ），（ｃ）は、メートル糸番手（１ｋｇの糸当たりｋｍの長さ）に対してパラメータａ，ｂ，ｃのそれぞれ１つが記入されているノモグラムを示す。ノモグラムにおける線は、世界的な糸製造に関して、糸番手Ｎｍの関数として、５，２５，５０，７５又は９５の百分順位を示している。即ち世界的に製造されて特定の糸番手を持つすべての糸の５％は、５百分順位より下の（又は図８（ｃ）の例では５百分順位より上の）パラメータ値を持ち、世界的に製造されるすべての糸の２５％は、２５百分順位より下（又は図８（ｃ）の例では２５百分順位より上の）パラメータ値を持っている。５０百分順位は世界的な中央値を示す。例えば図８に示されているようなノモグラムは、世界的な糸製造に関して、本発明により特徴表示される糸９の品質段階付けを可能にする。
【００４６】  既に述べたように、人に訴える力の少ない関数パラメータは特に出力される必要がない。同様に、関数パラメータａ，ｂ，ｃの代わりに、支点Ｐ１，Ｐ２，・・・の縦軸値ΔＭ１，ΔＭ２をこのようなノモグラムに表示できることは、既に上述された。ノモグラムにおいて行う代わりに、別のグラフ表示方法において又は例えば表においてまとめられている数値形で、数値詳述の出力を別のやり方で行うことができる。
【００４７】  本発明が上述した実施例に限定されないことは自明である。本発明を知れば、当業者は本発明の対象に属する別の変形例も推論することができる。
【符号の説明】
【００４８】  １              装置
１１            測定ヘッド
１２            インタフェース変換器
１３            接続導線
１４            制御装置
１５            入力装置及び出力装置としてのセンサ映像面
１６            データ導線
１７            計算場所
２              巻取り機
２１．１，２１．２・・・  巻取り場所
２２            巻取り場所計算機
２３            制御計算機
３              事象領域
３１            横軸
３２            縦軸
４              糸本体、糸本体を示す面
４１            事象領域を限定する密度曲線
４２            事象領域を限定する別の線
５．１，５．２・・・・  誤差棒
６              適合曲線
６１            接線
７              信頼面積
９              糸
【図１】
2014514225.tif 000007
【図２】
2014514225.tif 000008
【図３】
2014514225.tif 000009
【図４】
2014514225.tif 000010
【図５】
2014514225.tif 000011
【図６】
2014514225.tif 000012
【図７】
2014514225.tif 000013
【図８（ａ）】
2014514225.tif 000014
【図８（ｂ）】
2014514225.tif 000015
【図８（ｃ）】
2014514225.tif 000016
【国際調査報告】
2014514225.tif 000017
2014514225.tif 000018
2014514225.tif 000019
2014514225.tif 000020
2014514225.tif 000021
2014514225.tif 000022